(57)【要約】      （修正有）【課題】地震等の震動で天井から落下するおそれのないＬＥＤランプの取り付け構造を提供する。【解決手段】ソケット４１の端子に商用電源を結線された安定器を有しない対応ＬＥＤランプ用照明灯器具４０に、前記ソケット４１の絶縁部に既存蛍光灯の口金外径より小さく、かつ、対応ＬＥＤランプ５０の口金５１外径D１より大きい内径D３を有するカラー６０を固定的に装着することにより対応するＬＥＤランプのみが装填可能になる。さらに、該カラー６０には対応ＬＥＤランプ５０の給電端子部が通過できる幅の切欠き部６１を形成し、ここにクサビを係合保持させ装填後の対応ＬＥＤランプ５０の落下を確実に防止する。【選択図】図１
2012129130.tif 000002
【特許請求の範囲】
【請求項１】
ソケット端子に商用電源を結線された安定器を有しない対応ＬＥＤランプ用照明灯器具において、前記ソケット絶縁部に既存蛍光灯の口金外径より小さく、かつ、対応ＬＥＤランプの口金外径より大きい内径を有するカラーが固定的に装着され、かつ、該カラーには対応ＬＥＤランプの給電端子部が通過できる幅の切欠き部が形成されていることを特徴とする対応ＬＥＤランプ装填用照明灯器具。
【請求項２】
ソケット端子に商用電源を結線された安定器を有しない対応ＬＥＤランプ用照明灯器具において、前記ソケット絶縁部に既存蛍光灯の口金外径より小さく、かつ、対応ＬＥＤランプの口金外径より大きい内径を有するカラーが固定的に装着され、かつ、該カラーには対応ＬＥＤランプの給電端子部が通過できる幅の切欠き部が形成されており、該切欠き部にはＬＥＤランプ装填後に該ＬＥＤランプの給電端子保持部を支持した状態で切欠き部に係合保持されるクサビが設けられていることを特徴とする対応ＬＥＤランプ装填用照明灯器具。 
【請求項３】
対応ＬＥＤランプの点灯回路に磁気センサーが付加されており、かつ、当該対応ＬＥＤランプ装填用の照明灯器具に設けられたカラーには、前記磁気センサーと対応する位置に当該磁気センサーを作動させるマグネットが内蔵されていることを特徴とするＬＥＤ照明装置。 
【請求項４】
対応ＬＥＤランプの点灯回路に磁気センサーが付加されており、かつ、当該対応ＬＥＤランプ装填用の照明灯器具に設けられたカラーに係合保持されるクサビに前記磁気センサーを作動させるマグネットが内蔵されていることを特徴とするＬＥＤ照明装置。
【発明の詳細な説明】
【技術分野】
【０００１】
本発明はＬＥＤ照明装置に関するものであり、更に詳しくは、直管型ＬＥＤランプ及びこれを装着するための照明器具に関するものである。
【背景技術】
【０００２】
ＬＥＤの技術は近時飛躍的に進歩しており、高輝度で利用範囲の広いものが出現している。直管型蛍光灯の代替としてこの高輝度のＬＥＤを照明装置として用いられてきている。直管型蛍光灯の代替として直管型ＬＥＤ照明ランプ（以下の説明においては特に断りのない限り単に「ＬＥＤランプ」と略して説明する。）が広く用いられるようになってきている。
【０００３】
これは大別して既存の直管対応型の蛍光灯器具（以下「照明灯器具」という。）の結線を改造してそのソケットにＬＥＤランプを装着させる方式がある。又別の方式としては、照明器具はそのまま従前のものを使用して蛍光ランプのみをＬＥＤランプに置換する方式のものがある。
【０００４】
一般的な直管型照明灯器具である蛍光灯器具の点灯回路を参考までに図９に示す。図９（ａ）はスタータ方式、図９（ｂ）はラピッドスタータ方式、図９（ｃ）はインバータ方式と称されているものである。各図中における参照番号は、１は点灯管、２は蛍光灯、３はソケット、４は安定器、５は商用電源、６は近接導体、７は高周波安定回路、８はインバータ回路、９は整流回路、１０はノイズ防止フィルタであり、これらの動作は既知のものであるので説明を省略する。
【０００５】
ところで、照明灯器具を改変せずに蛍光灯をＬＥＤランプに交換するだけで点灯させるには、図９（ａ）で示したスタータ方式の場合、点灯管１を外してそれ専用のＬＥＤランプを装着させる。このときのＬＥＤランプ両端のソケット３には、安定器４を通して商用電源の電圧が印加される。又図９（ｂ）のラピッドスタータ方式の場合には、両端のソケット３に商用電源の昇圧電圧（１７０V程度）が印加される。
【０００６】
ここで、両者に使用されるＬＥＤランプには，ＬＥＤモジュールと駆動回路の他に商用周波数のＡＣ・ＤＣコンバータと、ＬＥＤモジュールを駆動するための定電流回路が内蔵されている。ＡＣ・ＤＣコンバータには、スイッチング電源を使用することで、ＡＣ入力８５Vから２８０Vに対応しており、ＬＥＤランプは、両方の方式に使用できるようになっており、既に市販されている。
【０００７】
図９（Ｃ）のインバータ方式の場合には、両端のソケット３に高周波（約３０ＫＨｚ）、高電圧（３００V程度）が印加される。したがって、この方式に使用するＬＥＤランプには、前記の商用電源周波数のＡＣ・ＤＣコンバータの代わりに高周波用ＡＣ・ＤＣコンバータが使用されている。
【０００８】
以上の説明で明らかなように、これらの方式では、照明灯器具の内部回路を通してＬＥＤランプを点灯させるので、電気的には安定器の電力損失と、電子部品の寿命が問題となる。電力損失は市販のＬＥＤランプの２〜３割程度で、省エネ性能上無視できない問題となっている。又、既存の照明灯器具メーカーは、一般的にその寿命を８〜１０年保証しているのが現状である。これに対し市販されているＬＥＤランプは、明るさが３０％低下したときを寿命と定義して、一般的に４００００時間程度の寿命としている。しかしながら、一般消費者は３０％以上低下しても使用していたり、故障で点灯しなくなるまで交換しないのが現状である。
【０００９】
ところで、４００００時間を事務所、工場、店舗等の標準的な実使用年数に換算すると約１３年になる。実際はこれ以上２０年位交換しない場合も多々あると思われる。保証期間８~１０年の蛍光灯器具を使用するのは、電子部品の絶縁劣化に起因する焼損のおそれが大であることが指摘されている。
【００１０】
更に、この方式は既設の照明灯器具をそのまま使用するので、それまでの使用期間を考慮すると保証期間８〜１０年は更に短くなり、寿命が約１３〜２０年のＬＥＤランプをそのまま使用した場合には、電気火災等が発生したりするおそれが強く大きな社会問題となる可能性が認められる。
【００１１】
そこで、照明灯器具の安定回路を通して点灯する方式における上記欠点を改善するため、図１０に示すような照明灯器具の内部結線を変更して安定器を外しておき、直接商用電源で点灯させる方式のＬＥＤランプが提案されている。
このＬＥＤランプの内部結線は、蛍光灯の片側のソケットに商用電源を印加して他端のソケットを使用していないが、一般には両側のソケットに商用電源を結線してＬＥＤランプ１２を無極性にしている。これによりＬＥＤランプの照明灯器具への装填時に方向性を気にしないで済み利用者にとっては極めて便利である。
【００１２】
図１１に結線変更後のＬＥＤランプ１２への給電方式例を示す。図中、参照番号９は、整流回路、参照番号１１は、ＡＣ・ＤＣコンバータを含んだＬＥＤランプ点灯回路及びＬＥＤモジュールであり、参照番号１３は、ＬＥＤランプ１２の給電端子、所謂口金である。又、前述図９のものと同様に参照番号３はソケット、５は商用電源である。
【００１３】
図１１（ａ）は、片側のソケット３のみを使用する最も簡単な結線変更方式であり、変更工事の結線間違いの可能性が少ないが、ＬＥＤランプ１２の片方の端子は、結線されていないのでＬＥＤランプ１２の装填方向を気にしなければならない、煩わしさが残るものである。図１１（ｂ）は、両側のソケット３に結線しているが結線は簡単である。この方式ではＬＥＤランプ１２に極性が不要である。
【００１４】
しかし、ＬＥＤランプ１２内部で給電端子を短絡しているので他の方式、即ち、前記図１１（ａ）及び後述する図１１（ｂ）に、ＬＥＤランプを挿入すると商用電源５を短絡することになり、焼損ひいては電気火災の危険性があり、安全上大きな問題となる。図１１（ｂ）の方式は、結線変更及びＬＥＤランプ内に整流回路９を複数個使用しており、他の形式より構造的に複雑ではあるがＬＥＤランプ１２に極性がなく照明灯器具への装填が便利である。
【００１５】
上記のように安定器を外す方式では、照明灯器具の電気部品でソケット３を利用するだけである。このため、ＬＥＤランプ１２内のＬＥＤやその他の電子部品の信頼性と比較しても充分安全であり、既設の照明灯器具であっても安心して改変使用でき、又、安定器での電力浪費からも解放され省エネ効果が高まる。
【発明の開示】
【発明が解決しようとする課題】
【００１６】
しかし、上記した照明灯器具の安定器を外した構造のＬＥＤ照明装置においては、省エネ効果、安全性の点で蛍光灯互換方式と比較して優れているが、ＬＥＤランプはＡＣ・ＤＣコンバータ、定電流電源、ＬＥＤモジュール等を内蔵しており、更には、放熱板などの放熱器や光拡散カバー等を有しているため、従来の蛍光灯に比べ重量が約２倍程度重いのが普通である。このため、従来の蛍光灯に比べて地震等の家屋の震動で天井から落下する例も稀ではなく、重量の重いＬＥＤランプが人体に落下した場合が想定されると、大きな怪我を負うことも考えられ危険である。
【００１７】
又、消費者がＬＥＤランプを交換するときに、誤って蛍光灯を装填した場合には、フィラメントに商用電源の１００Vが印加され、蛍光灯が破損するばかりでなく、電源ショートを起こし危険でもある。これを回避する手段としては、結線が変更されている照明灯器具には、注意ラベルが貼られているが、消費者の注意を喚起するには不十分で、誤装填を確実に防ぐことができなかった。
【００１８】
更に、他社の異なった型式のもの、即ち、図１１（ｃ）で示したＬＥＤランプを図１１（ａ）及び（ｂ）で示した器具に装填した場合にも前述のような危険が認められる。      
【課題を解決するための手段】
【００１９】
本発明は上記したような従来技術の課題に着目して提案されたもので、第１の目的は，従来の照明灯器具から安定器を取外した構造の蛍光灯器具にＬＥＤランプを装填する場合に、間違って蛍光灯や適合しない他の型式のＬＥＤランプを装填することを防止して、単純ミスによる電気事故の発生を無くすＬＥＤ照明装置を提供するものである。
【００２０】
第２の目的は、上記に加えて蛍光灯に比べて重量の重いＬＥＤランプが照明灯器具から外れることを確実に防止し、家屋の振動が加わって落下するといった思わぬ事故が生じないようにすることである。
【００２１】
又、第３の目的は、蛍光灯器具から安定器を外す配線工事と本発明の施工を確実に実施させることにある。即ち本発明の施工が完了しないとＬＥＤランプは点灯しない構造であるため管理が行き届き難い施工業者の手抜き工事を防止することにある。
【００２２】
請求項１に記載の発明は、ソケット端子に商用電源が結線された安定器を有しないＬＥＤランプ用照明灯器具において、前記ソケット絶縁部に蛍光灯の口金外径より小さく、かつ、対応ＬＥＤランプの口金外径より大きい内径を有するカラーを固定的に装着したことを特徴とする。
【００２３】
請求項２に記載の発明は、前記カラーに対応ＬＥＤランプの給電端子部が通過できる幅の切欠き部を形成し、該切欠き部には、ＬＥＤランプ装填後に該ＬＥＤランプの給電端子保持部を支持した状態で、切欠き部に係合保持されるクサビを設けることを特徴とする。
【００２４】
請求項３に記載の発明は、対応ＬＥＤランプの点灯回路に磁気センサーを付加し、前記カラーには対応ＬＥＤランプ装填後において磁気センサーと対応する位置に当該磁気センサーを作動させるマグネットを内蔵させることを特徴とする。
【００２５】
請求項４に記載の発明は、前記磁気センサーを作動させるマグネットをカラーに係合保持されて装填された対応ＬＥＤランプの落下防止用クサビに内蔵することを特徴とする。
【発明の効果】
【００２６】
請求項１に記載のＬＥＤ照明装置によれば、従来の照明灯器具から安定器を取外した構造の照明灯器具に対応ＬＥＤランプを装填する場合に、間違って蛍光灯や適合しない他の型式のＬＥＤランプを装填することがなくなり、取り違えから生ずる電気事故の発生のおそれがなくなる。
【００２７】
請求項２に記載のＬＥＤ照明装置によれば、上記に加えてクサビによりＬＥＤランプの口金をカラー内のソケットに保持しているので、蛍光灯に比べて重量の重い対応ＬＥＤランプが照明灯器具から外れることが確実に防止され、地震等による家屋の振動が加わってもＬＥＤランプが容易に落下することもなくなり、高価な対応ＬＥＤランプの損傷が無くなるばかりか、落下による人身事故もなくなり、安全性が向上する。  
【００２８】
請求項３に記載のＬＥＤ照明装置によれば、安定器の存在しない照明灯器具において、当該照明灯器具のカラーに内蔵されたマグネットと、ＬＥＤランプの口金近傍内部に搭載された磁気センサーが、予め定められた相対的位置関係にあるときのみ、照明灯器具と対応ＬＥＤランプとの通電を行わせしめるので、マグネットの存在しない照明灯器具では、対応ＬＥＤランプに通電が行われないようになっている。これにより施工業者が万が一本発明のカラー及びクサビをしなかった場合は工事完了後の引き渡し試験でＬＥＤランプが点灯せず手抜き工事を防止でき施工後の安全を担保できる。
【００２９】
請求項４に記載のＬＥＤ照明装置によれば、クサビの所定位置に磁気センサースイッチを作動させるマグネットが内蔵されており、対応ＬＥＤランプに磁気センサーが搭載されているので、ＬＥＤランプを照明灯器具に装填後であっても落下防止のクサビをカラーに係合させない限り、照明灯器具からＬＥＤランプを点灯できないので、ＬＥＤランプの照明灯器具への装填後の落下防止が確実に図られる。
【発明を実施するための最良の形態】
【００３０】
以下、本発明を実施する形態を図面に基づいて説明する。
図１は本発明のＬＥＤ照明装置を構成する、照明灯器具４０とこれに装填される直管型ＬＥＤランプ（以下、ＬＥＤランプ。）５０の一部を示した斜視図である。本発明における照明灯器具４０は、従来の直管型蛍光灯を装填する照明灯器具をＬＥＤランプ５０が、装填可能にされた安定器を有しない型式のものである。
【００３１】
以下に述べるＬＥＤランプは、安定器を有しない型式の照明灯器具に装填可能な対応ＬＥＤランプを云う。図１に示すように、本発明のＬＥＤ照明装置は、照明灯器具４０と該照明灯器具４０のソケット４１に、同心上に固定的に取付けられる（接着される）カラー６０、これに対応するＬＥＤランプ５０から構成される。図１において参照番号５２は放熱器、５３は光拡散カバー、５５はＬＥＤモジュール、５７はＡＣ・ＤＣコンバータを含むＬＥＤモジュール駆動ユニットである。又、５４は磁気センサー回路（以下、単に「磁気センサー」と略記する。）であり、６３はマグネットであり前記磁気センサー５４と対をなして磁気センサースイッチを形成する。この磁気センサースイッチの機能・動作については後述する。
【００３２】
図２の（ａ）、（ｂ）は、本発明のＬＥＤ照明装置の照明灯器具４０のソケット４１に固定的に取付けられるカラー６０であり、図１の参照番号６０と同一のものの正面図と側面図である。図１〜図３に示すように、このカラー６０は、図示からわかるように全体として扁平の円形リング状で、下部に円形を遮断するように切欠き部６２が形成されている。この切欠き部６１には、後述するクサビ７０の外方向への弾発力により係合部７２が嵌り込むように構成されている。即ち、図１に示すように、クサビ７０を切欠き部方向に進入させると、最終的には図３（ｃ）に示すように、クサビ７０が一旦外側方向への付勢力に抗して収縮した後に、外側に広がるような付勢力を有し、係止凹部７２がカラー６０の切欠き部６１を画定する両端部に形成された係止凸部６２に嵌り込む。
【００３３】
図３（ａ）、（ｂ）は、カラー６０を照明灯器具４０のソケット４１に取付けた状態を示したものである。なお、以下の記載においては、ランプ挿入方向から見た状態を正面図とし、図３（ａ）を正面図、（ｂ）を側面図とする。
図３（ｃ）は，カラー６０の切欠き部にクサビ７０を係合させた状態を示すＬＥＤランプを装填方向から見た正面図であり、図中において参照番号６５は、ＬＥＤランプの装填部である給電端子である。カラー６０のソケット４１への固定手段としては、カラー６０及びソケット４１が共にプラスチック等で成型されているため、例えば、樹脂有機溶剤系の接着剤等を用いて行われる。
【００３４】
図４（ａ）は、この発明に用いるＬＥＤランプ５０を示し、（ｂ）は従来の蛍光灯を示したものであり、本発明のＬＥＤランプとの各部位の寸法を対比するために図示したものである。図５はＬＥＤランプ５０を照明灯器具４０に装填した状態を示す。
【００３５】
図４（ａ）、（ｂ）、図５及び前記図２において、参照番号Ｄ１は、ＬＥＤランプの給電端子の絶縁部の最大外径寸法、Ｄ２は従来の直管型蛍光灯の口金部の外径寸法、Ｄ３はカラー６０の内径寸法、Ｂ１はＬＥＤランプ５０の給電端子絶縁部５８の幅寸法、Ｂ２は給電端子５９の長さ寸法、Ｂ３はＬＥＤランプ端子絶縁部の高さ寸法、Ｂ４はカラー６０のＬＥＤランプが通過するギャップ寸法を示す。又Ｘ２はＬＥＤランプ装填時におけるマグネット６３と磁気センサー５４の距離寸法、Ｌ１はＬＥＤランプの給電端子絶縁部内側間の長さ寸法、Ｌ２は既存の蛍光灯の給電端子根元間の長さ寸法を示すものである。
【００３６】
照明灯器具４０のソケット４１に取付けられたカラー６０の内径寸法Ｄ３は、ＬＥＤランプ５０の口金５１の外径寸法Ｄ１より大きく設定されており、これにより装填が可能となる。しかしながら、カラー６０の内径寸法Ｄ３は、既存の蛍光灯の口金の外径寸法Ｄ２より小さく設定されており、図４（ｂ）に示した既存の蛍光灯は装填不可能である。即ち、既存の直管型蛍光灯の寸法Ｄ２とＬ２は、規格で定められているので、カラー６０が装着された本発明の照明灯器具には、既存の蛍光灯は装填不可能である。
【００３７】
又、ＬＥＤランプ５０の給電端子絶縁部５８の形状を図示のように両端子５９を跨ぐような直線状としていることから、ＬＥＤランプ５０の給電端子絶縁部５８の幅寸法Ｂ１及び／又はＬＥＤランプ端子絶縁部の高さ寸法Ｂ３をカラーの内径に合わせておくことでも誤装填を防ぐことができ、前記の如く焼損、火災の危険を低減することができる。
【００３８】
次に、ＬＥＤランプ５０をソケット４１に挿入した後に電気的接続させるためには、ＬＥＤランプを９０度回転させる。これは通常の蛍光灯の装填と同じである。即ち、図５の状態にする。これでＬＥＤランプ５０の端子５９はソケット４１の受容孔に確実に挿嵌されることになり落下は一応防止される。しかしながら、ＬＥＤランプ５０は、蛍光灯と異なり前記したように多くの部品や回路が搭載されており、重量が重いものであるから、これでは確実に落下の防止をはかることができない。
【００３９】
そこで、図１、図３（ｃ）、図５に示すように逆V字状のクサビ７０をカラー６０の切欠き部６１に係止させる。即ち、カラーの切欠き部６１を画定する両端部の係止凸部６２にクサビ７０の外側の係止凹部７２に係合させておく。これにより、ＬＥＤランプ５０の回転は阻止されるとともに、下側で支えられているので、振動を与えてもＬＥＤランプ５０が落下することが無くなり安全上好ましいものと云える。
【００４０】
更に、万が一施工業者が本発明のカラーやクサビを装着しなかった場合でもLEDランプは装填できるが、この状態ではLEDランプを点灯させない構造が本発明の重要な部分である。本発明においては，ＬＥＤランプ５０の口金近傍部分内部に磁気センサー５４を設け、他方カラーに６０にマグネット６３を内蔵させておく。磁気センサー５４を設けた回路は，例えば，図７に示すように接続構成される。図中において参照番号Ｐは商用電源、ＤＢは整流素子、Ｚ１は雷サージ吸収素子、Ｆ１はノイズ防止フィルター、Ｃ１及びＣ２は平滑コンデンサー、Ｕ１は定電流電源及びＬＥＤモジュール駆動ユニット、Ｕ１−１は電源端子、Ｕ１−２は制御入力端子、Ｕ１−３ＧＮＤ端子、Ｕ１−４は出力端子、Ｕ１−５は定電圧出力端子、Ｕ２はＬＥＤモジュールである。又、参照番号Ｘはマグネット６３と磁気センサー５４との距離を示すもので、両者の間隔は磁気センサー５４がマグネット６３の磁気を検知できる範囲に設定しておかなければならない。なお、点線で囲んであるマグネット６３及び磁気センサー５４の部分は、本発明の重要な構成部分であるが、それ以外の部分はＬＥＤランプ回路として既知のものであるので説明は省略する。
【００４１】
このようにマグネット６３と磁気センサー５４を設けておき、磁気センサー５４が磁力を検知したときにのみ内部回路が作動して、ＬＥＤランプ５０が点灯するように構成しておけば、施工業者は確実に施工することになるので施工も含めた総合的な安全を担保できる。
【００４２】
図８は、磁気センサー５４の出力とマグネット６３との間の距離Ｘの関係、即ち、磁気センサー５４のマグネット６３との作動域距離を示したもので、距離Xがｘ１のときに出力が反転していることを示している、Ｈはハイレベル、Ｌはローレベルであり、ハイレベルＨのときにＬＥＤランプは点灯し、ローレベルのときは点灯不能状態となる。
【００４３】
このようなｘ１の位置である距離を考慮して、マグネット６３と磁気センサー５４の位置関係が定められる。即ち、図５で示したマグネット６３と磁気センサー５４の距離ｘ２は、上記した距離ｘ１より短いものであることが必要である。なお、これらの距離はマグネット６３の磁力の強さによって相対的に決定されるものであることは云うまでもない。
【００４４】
なお、マグネット６３と磁気センサー５４の相対的位置関係は、図５で最も良く表されているが、これに限定されるものではないことは云うまでもない。上記実施例では、マグネット６３を前記カラー６０に内蔵させることとしたが、これに対して図６に示す実施例では、逆Ｖ字型のクサビ７０の頂部にマグネット６３を収容させておくことによって行う。この場合には、ＬＥＤランプへの磁気センサー５４の位置を、当該クサビ７０内蔵のマグネット６３に対応して感知する位置に変更しておくことが必要である。これにより、クサビ７０が磁気センサーによる施工の手抜き防止の他にＬＥＤランプ脱落防止の役目を併せ持つことが可能となり、施工時やランプ交換時のクサビ挿入忘れを防止できる。
【００４５】
本件発明のＬＥＤ照明装置は、照明灯器具及びＬＥＤランプの製造に際して既存のラインを若干改変するだけで製造できるので、より安全なＬＥＤ照明装置をコスト的にも安価に製造できる。更に、本発明によればＬＥＤランプのケース内部にパワーユニットを含む全ての電子回路を内蔵しているので、一貫生産がし易く、生産コスト低減に適したＬＥＤランプを提供できるだけでなく、故障した場合においては、ランプ交換だけで対処でき、メンテナンス費用も低減できる等その経済的効果は極めて大なるものが認められる。
【００４６】
又、本発明のＬＥＤ照明装置における照明灯器具は、既存・既設の蛍光灯器具を改変することでも対応できる。そして、この場合においても作業者がカラー等を適切に取付けないと、専用のＬＥＤランプ（対応ＬＥＤランプ。）５０が点灯しないこと、又、クサビ７０にマグネットを内蔵させる型式の場合には、クサビを装着させない限り対応ＬＥＤランプ５０が点灯しないので、点灯の有無で落下防止のクサビが装着されたか否かを確認することもでき、改変作業の確実性も維持される。
【００４７】
更に、本発明においては、蛍光灯は勿論、対応ＬＥＤランプの給電端子周辺の絶縁部の形状を特殊にすることで、この対応ＬＥＤランプを装填する照明灯器具に当該対応ＬＥＤランプ以外を装填できる可能性を極めて小さくでき、他社製等の電気的適合性のない型式のＬＥＤランプを誤って装填させることによる焼損やこれに起因する火災等の事故の発生も防止も可能になる。
【００４８】
又、本発明の対応ＬＥＤランプは、ケーシング内部にパワーユニットを含む全ての電子回路（電気回路）を内蔵しているので、一貫生産がし易く生産コストの低減に適したＬＥＤランプを提供できる。加えて、万が一故障した場合でも、照明灯器具の修理・交換をせずに対応ＬＥＤランプの交換だけで済みメンテナンス上の費用低減も図れる。又、本発明の照明灯器具には安定器が搭載されていないので、照明灯器具の寿命も伸び、この点からも好ましく産業上の利用可能性は大なるものと云える。
【図面の簡単な説明】
【００４９】
【図１】本発明のＬＥＤ照明装置における照明灯器具とこれに対応するＬＥＤランプの一部を示した斜視図である。
【図２】本発明の照明灯器具のソケットに装着されるカラーを示したもので、（ａ）は正面図、（ｂ）は側面図である。
【図３】前記カラーを照明灯器具のソケットに固定的に取付けた状態を示す説明図で、（ａ）は側面図、（ｂ）は正面図、（ｃ）はカラーにクサビを係合させた状態を示す説明図である。
【図４】（ａ）は本発明のＬＥＤ照明装置に用いるＬＥＤランプを示す正面図と側面図、（ｂ）は本発明のＬＥＤランプと対比するために示した既存の蛍光灯を示した正面図と側面図である。
【図５】本発明のＬＥＤ照明装置であって、本発明の照明灯器具に本発明のＬＥＤランプを装填した状態を示す側面図である。
【図６】本発明の他の実施例に用いるマグネットが搭載されたクサビを示す説明図で（ａ）は正面図、（ｂ）は側面図である。
【図７】本発明のＬＥＤランプ内の回路の一例を示す説明図である。
【図８】図７で示した磁気センサーの作動原理を示す説明図である。
【図９】従来の蛍光灯器具の回路説明図である。
【図１０】従来の蛍光灯器具（照明灯器具）から安定器を除去した状態の回路説明図である。
【図１１】図１０で示した照明灯器具へ装填接続される（異なる型式の）ＬＥＤランプへの給電接続例を示した説明図である。
【符号の説明】
【００５０】
４０・・照明灯器具（安定器を取外したＬＥＤランプ装填用照明灯器具）
４１・・ソケット
５０・・ＬＥＤランプ（直管型ＬＥＤランプ）
５４・・磁気センサー
６０・・カラー
６３・・マグネット
【図１】
2012129130.tif 000003
【図２】
2012129130.tif 000004
【図３】
2012129130.tif 000005
【図４】
2012129130.tif 000006
【図５】
2012129130.tif 000007
【図６】
2012129130.tif 000008
【図７】
2012129130.tif 000009
【図８】
2012129130.tif 000010
【図９】
2012129130.tif 000011
【図１０】
2012129130.tif 000012
【図１１】
2012129130.tif 000013